(57)【要約】【課題】高速で、高画質で、高い信頼性での画像出力が可能な、長尺な構成の液体吐出ヘッド、液体吐出記録装置、および液体吐出記録方法を提供すること。【解決手段】複数の吐出口列を有する吐出口群を千鳥状に配置し、被プリント材の、吐出口の配列方向に隣接して一部重なって形成されるドット同士の着弾の時間差が一定になるようにする。【選択図】図１
2005306014.tif 000002
【特許請求の範囲】
【請求項１】
液体を吐出する吐出口が一定の間隔で配列する吐出口列を複数有する吐出口列群が千鳥状に配置され、
前記吐出口列群内および隣接する前記吐出口列群間でそれぞれ隣接する前記吐出口列において、前記各吐出口列に属する前記吐出口は、前記吐出口列の方向に関して第１の間隔を置いて配置され、かつ、前記吐出口列の方向に交差する方向に関して第２の間隔を置いて配置され、
前記吐出口列群において前記吐出口列の、前記吐出口群が隣接する部分における端部にある前記吐出口同士を結んだ線と、隣接する前記吐出口列群における前記線と、は同一線上にあり、
前記交差する方向において前記吐出口は重ならないように配置されることを特徴とする液体吐出ヘッド。
【請求項２】
前記吐出口列群のそれぞれは、液体を吐出するために利用されるエネルギーを発生するエネルギー発生素子が設けられた基板に対して形成されている請求項１に記載の液体吐出ヘッド。
【請求項３】
請求項２に記載の液体吐出ヘッドと、
被プリント材と前記液体吐出ヘッドとを前記交差する方向に相対的に移動させるための手段と、
を具備する液体吐出記録装置。
【請求項４】
液体を吐出する吐出口が一定の間隔で配列する吐出口列を複数有する吐出口列群が千鳥状に配置され、
前記吐出口列群内および隣接する前記吐出口列群間でそれぞれ隣接する前記吐出口列において、各列に属する吐出口は、前記吐出口列の方向に関して第１の間隔を置いて配置され、
前記吐出口列群内で隣接する前記吐出口列は、前記吐出口列の方向に交差する方向に関して第２の間隔を置いて配置され、
前記吐出口列群において前記吐出口列の、前記吐出口群が隣接する部分における端部にある前記吐出口同士を結んだ線と、隣接する前記吐出口列群における前記線と、が平行であり、
前記交差する方向において前記吐出口は重ならないように配置される液体吐出ヘッドを、
前記交差する方向に被プリント材に対して相対的に移動させ、
前記吐出口列群内で隣接する前記吐出口列において、液体を吐出して被プリント材の隣接する画素位置に液体をそれぞれ着弾させる時間差と、
隣接する前記吐出口列群間で隣接する前記吐出口列において、液体を吐出して被プリント材の隣接する画素位置に液体をそれぞれ着弾させる時間差と、
が等しいことを特徴とする液体吐出記録装置。
【請求項５】
液体を吐出する吐出口が一定の間隔で配列する吐出口列を複数有する吐出口列群が千鳥状に配置され、
前記吐出口列群内および隣接する前記吐出口列群間でそれぞれ隣接する前記吐出口列において、前記各吐出口列に属する吐出口は、前記吐出口列の方向に関して第１の間隔を置いて配置され、
前記吐出口列群内で隣接する前記吐出口列は、前記吐出口列の方向に交差する方向に関して第２の間隔を置いて配置され、
前記吐出口列群において前記吐出口列の、前記吐出口群が隣接する部分における端部にある前記吐出口同士を結んだ線と、隣接する前記吐出口列群における前記線と、が平行であり、
前記交差する方向において前記吐出口は重ならないように配置される液体吐出ヘッドを、前記交差する方向に被プリント材に対して相対的に移動させ、
前記吐出口列群内で隣接する前記吐出口列において、液体を吐出して被プリント材の隣接する画素位置に液体をそれぞれ着弾させる時間差と、
隣接する前記吐出口列群間で隣接する前記吐出口列において、液体を吐出して被プリント材の隣接する画素位置に液体をそれぞれ着弾させる時間差と、
が等しくなる様に液体を吐出することを特徴とする液体吐出記録方法。
【発明の詳細な説明】
【技術分野】
【０００１】
本発明は、インクなどの液体を吐出口から吐出して被プリント材上に画素を形成し、この画素から画像を形成する液体吐出記録方式（インクジェット記録方式）の記録を行う液体吐出ヘッド（インクジェットヘッド）、液体吐出記録装置（インクジェット記録装置）、および液体吐出記録方法（インクジェット記録方法）に関するものである。
【背景技術】
【０００２】
複写装置や、ワードプロセッサ、コンピュータ等の情報処理機器、さらには通信機器の普及に伴い、それらの機器の画像形成装置、あるいは記録装置の１つとして、液体吐出ヘッドを用いてディジタル画像記録を行うものが急速に普及している。そして、情報処理機器や通信機器における視覚情報の高品位・カラー化に伴い、記録装置に対しても高画質化、カラー化の要望が大きくなりつつある。
【０００３】
このような記録装置においては、高画質化の要望に対応して画素の微細化を図るため、インクなどの液体（以下、単にインクと称する）の吐出口および液路を含むノズルを高密度で集積した液体吐出ヘッドが用いられるようになってきている。また、記録装置には、カラー化のため、例えばシアン・マゼンタ・イエロー・ブラックの各インクに対応して、各色のインク吐出用のインクヘッドが備えられるのが一般的である。さらに、記録装置に対しては、高画質の画像形成を可能としつつ、記録動作を高速化することも求められており、このため、一度に形成できる画素の数を増やして記録速度を高速化するために、液体吐出ヘッドには多数のノズルが備えられるようになってきている。
【０００４】
特に、液体吐出ヘッドの長さを、記録する最大の被プリント材の幅程度とし、１パスの走査で記録を実行可能とすることによって高速な出力を可能とする方法も具現化されつつある。この場合、例えばＡ４横送りのページプリンタを考えると、その液体吐出ヘッドの長さは約３０ｃｍとなり、ノズル密度を１２００ｄｐｉ（dot per inch）とすれば、概算で１４０００以上のノズルが必要となる。このように多くのノズルを有する液体吐出ヘッドを一度に製造するためには大型の基体が必要となり、製造コストおよび歩留まりの観点からいっても、非常に困難である。
【０００５】
また、そのノズル数の多さゆえに、全てのノズルを同等の性能にし、また同等の性能を維持するのは困難である。そのため、各ノズル間で、インク吐出量のムラや着弾位置のズレ（ヨレ）が生じることが考えられ、これに対して、記録画像において光学濃度ムラが生じないようにするために、ヘッドシェーディング補正の技術を用いることが知られている。
【０００６】
ヘッドシェーディングの方法としては、各ノズルについて、その出力画素の光学濃度を測定し、その結果を入力画像データにフィードバックして、光学濃度むらを補正する方法が一般的である。例えば、あるノズルが何らかの理由により吐出量が少なく、その部分の光学濃度が薄くなっている場合には、入力画像の、当該ノズルに対応する部分の階調値を増加させる補正を行い、それによって、出力画像における画像光学濃度の均一化が測られる。
【０００７】
また、多数のノズルにおいては、不吐出ノズルが発生する可能性もあり、これに対して補完処理を行い、全てのノズルが無欠陥でなくても、画像出力を可能とする不吐出ノズル補正（不吐補完）の技術も知られている。
【０００８】
不吐補完の方法としては、例えば、あるノズルが不吐出である場合、当該ノズルによって形成すべきドット（画素）の代わりに、当該ノズルの両側のノズルを用いて、当該ドットに隣接する位置にドットを形成する方法や、記録動作用の画像データに対して、不吐出ノズルによって形成されるべきドットの代わりにその周囲にドットを含むように補正を行う方法（隣接補完）が知られている。また、また、シアンの不吐出ノズルによってドットを形成すべき部分に、例えば黒などの他色のインクドットを形成して補う方法（異色補完）も知られている。
【特許文献１】米国特許第４７２３１２９号明細書
【特許文献２】米国特許第４７４０７９６号明細書
【特許文献３】米国特許第４４６３３５９号明細書
【特許文献４】米国特許第４３４５２６２号明細書
【特許文献５】米国特許第４３１３１２４号明細書
【特許文献６】米国特許第４５５８３３３号明細書
【特許文献７】米国特許第４４５９６００号明細書
【特許文献８】特開昭５９−１２３６７０号公報
【特許文献９】特開昭５９−１３８４６１号公報
【発明の開示】
【発明が解決しようとする課題】
【０００９】
液体吐出記録装置においては、いかに速く、いかに高画質の画像を出力し、かつ、これをいかに低コストで実現するかが、技術的進歩の１つの方向性である。これに対して、上記のように、高速で高画質の画像を形成する上で有効な、長尺で、かつ高密度でノズルを集積した液体吐出ヘッドを製造するのには、製造コストが嵩んだり、歩留まりが低下したり、性能の維持が難しくなったりするという困難がある。また、上記のように、ヘッドシェーディングや不吐補完の手法を用いれば、長尺で、かつ高密度でノズルを集積した液体吐出ヘッドにおいて、ある程度の欠陥があっても画像出力が可能となるが、欠陥のない液体吐出ヘッドによる出力画像の品位より、画像品位が低下するのは避けられない。
【００１０】
本発明は、上記従来技術の実状に鑑み、被プリント材に、隣接してドットが形成される際の着弾時間差が異なることで発生する画像濃度むらを低減し、高速で、高画質で、高い信頼性での画像出力が可能な構成の液体吐出ヘッド、液体吐出記録装置、および液体吐出記録方法を提供することを目的とする。
【課題を解決するための手段】
【００１１】
上述の目的を達成するため、本発明の液体吐出ヘッドは、液体を吐出する吐出口が一定の間隔で配列する吐出口列を複数有する吐出口列群が千鳥状に配置され、前記吐出口列群内および隣接する前記吐出口列群間でそれぞれ隣接する前記吐出口列において、前記各吐出口列に属する吐出口は、前記吐出口列の方向に関して第１の間隔を置いて配置され、かつ、前記吐出口列の方向に交差する方向に関して第２の間隔を置いて配置され、前記吐出口列群において前記吐出口列の、前記吐出口群が隣接する部分における端部にある前記吐出口同士を結んだ線と、隣接する前記吐出口列群における前記線と、は同一線上にあり、前記交差する方向において前記吐出口は重ならないように配置されることを特徴とする。
【００１２】
また、本発明の液体吐出方法では、液体を吐出する吐出口が一定の間隔で配列する吐出口列を複数有する吐出口列群が千鳥状に配置され、前記吐出口列群内および隣接する前記吐出口列群間でそれぞれ隣接する前記吐出口列において、前記各吐出口列に属する吐出口は、前記吐出口列の方向に関して第１の間隔を置いて配置され、前記吐出口列群内で隣接する前記吐出口列は、前記列方向に交差する方向に関して第２の間隔を置いて配置され、前記吐出口列群において前記吐出口列の、前記吐出口群が隣接する部分における端部にある前記吐出口同士を結んだ線と、隣接する前記吐出口列群における前記線と、が平行であり、前記交差する方向において前記吐出口は重ならないように配置される液体吐出ヘッドを、前記交差する方向に被プリント材に対して相対的に移動させ、前記吐出口列群内で隣接する前記吐出口列において、液体を吐出して被プリント材の隣接する画素位置に液体をそれぞれ着弾させる時間差と、隣接する前記吐出口列群間で隣接する前記吐出口列において、液体を吐出して被プリント材の隣接する画素位置に液体をそれぞれ着弾させる時間差と、が等しくなるように液体を吐出する。
【発明の効果】
【００１３】
本発明によれば、複数の吐出口列を有する吐出口群を千鳥状に配置することで、全体として長尺のヘッドを構成し、高速化に対応できる。さらに、被プリント材の、吐出口の配列方向に隣接して一部重なって形成されるドット同士の着弾の時間差を一定にすることで、画像濃度むらの少ない高品質で信頼性の高い画像を形成することができる。
【発明を実施するための最良の形態】
【００１４】
以下、図面を参照して本発明の実施形態を詳細に説明する。
【００１５】
〔液体吐出ヘッド〕
図１は、本実施形態の、インクなどの液体（以下単にインクと称する）を吐出する液体吐出ヘッド（インクジェットヘッド）２１の模式図である。同図に示すように、この液体吐出ヘッド２１は、複数のヘッドチップ１０ａ，１０ｂ，…を千鳥状に並べて構成され、全体として１つの長尺の液体吐出ヘッドとして働くようになっている。なお、図１では、分かりやすくするために、ヘッドチップを３つだけ記載しているが、本実施形態の液体吐出ヘッド２１はさらに多数のヘッドチップ１０を有するものであってよい。以下の説明では、このように複数のヘッドチップから構成される液体吐出ヘッドをマルチヘッドとも称する。
【００１６】
本発明の実施形態のマルチヘッドに用いられているヘッドチップ１０を図２に破断状態で示す。また、図３は、このヘッドチップ１０のノズル構造を示す平面図であり、図２のインク室１３によって形成されるインク流路1７と、吐出口１６の位置関係を示している。ヘッドチップ１０は、例えＳｉウェハを用いて製造され、細長いインク供給口１５が形成されており、Ｓｉウェハ上には、吐出口１６やインク室１３を形成する天板１９が設けられている。
【００１７】
各インク供給口１５には、このインク供給口１５の長手方向に沿って所定間隔で配列するインク室１３が当該インク供給口１５を挟むように２列に形成されており、各インク室１３にはエネルギー発生素子１４とこのエネルギー発生素子１４と対向してインクを滴として吐出するための吐出口１６とが設けられている。
【００１８】
本実施形態では、インク供給口１５を挟んで相互に平行な２列の吐出口１６が相互に半ピッチずらして、いわゆる千鳥状に配列されており、インク供給口１５の長手方向に沿って配列する吐出口１６の間隔は、見かけ上、各列の吐出口１６に対応するインク室１３の間隔の半分の間隔になっている。また、エネルギー発生素子１４およびＡｌなどで形成されてエネルギー発生素子１４に電力を供給する不図示の電極配線は、成膜技術によりＳｉウェハの表面に形成され、電極配線１７の端末は、Ａｕなどで形成されてＳｉウェハの表面から突出するバンプ１８となっている。
【００１９】
詳細には図示していないが、本実施形態におけるエネルギー発生素子１４は、例えばＴａＮ，ＴａＳｉＮ，Ｔａ−Ａｌなどで形成された発熱抵抗体層の、電極配線によって覆われていない部分によって構成されており、所定のシート抵抗値を有する。また、これらエネルギー発生素子１４および電極配線１７は、所定の厚みのＳｉＮで形成された保護層で覆われ、さらにエネルギー発生素子１４の上の保護層の表面上には、所定の厚みのＴａから構成された耐キャビテーション層が成膜されている。
【００２０】
上述したインク供給口１５は、発熱基板として用いられるＳｉウェハの結晶方位を利用し、異方性エッチングにより形成される。つまり、Ｓｉウェハの表面が＜１００＞で、その厚さ方向に＜１１１＞の結晶方位を持つ場合、例えばＫＯＨやテトラメチルアンモニウムハイドロオキサイド（ＴＭＡＨ）あるいはヒドラジンなどのアルカリ系異方性エッチング液を用い、エッチング方向に選択性を持たせて所望の深さにエッチングを行う。また、インク室１３および吐出口１６は、フォトリソグラフィ技術によって形成され、エネルギー発生素子１４に電力を供給することによって、例えば４ピコリットルのインク滴を吐出口１６から吐出させる。
【００２１】
なお、図１〜３などでは、エネルギー発生素子１４や吐出口１６は、分かりやすくするために少数しか示していないが、各ヘッドチップ１０は、より多数の吐出口１６を有することができる。
【００２２】
〔液体吐出記録装置〕
図４は、本発明における液体吐出ヘッドを適用可能な本実施形態の液体吐出記録装置（インクジェット記録装置）を模式的に示す図である。この装置は、上述したような液体吐出ヘッドを被プリント材に対して相対移動させながら、吐出口から液滴を被プリント材に着弾させて、ドットを形成することで、画像を形成する装置である。
【００２３】
図４において、１０１ａ〜１０１ｄはそれぞれ、複数のヘッドを千鳥状に搭載することで長尺のヘッドにした、マルチヘッド型のインクジェット記録ヘッド（以下、「ヘッド」という。）である。これらのヘッドはホルダ１０２により矢印Ｘ方向に所定の間隔を持って互いに平行に固定支持されている。各ヘッド１０１ａ〜１０１ｄの下面には矢印Ｙ方向に沿って並んで、吐出口が下向きに設けられており、これにより被プリント材の幅に対応する記録が可能となっている。
【００２４】
これらのヘッド１０１ａ〜１０１ｄは熱エネルギーを用いて記録液を吐出する方式のものであり、ヘッドドライバー１２０によって吐出制御される。
【００２５】
なお、ヘッド１０１ａ〜１０１ｄおよびホルダ１０２によってヘッドユニットが構成され、このヘッドユニットはヘッド移動手段１２４により、上下方向に移動させられるようになっている。
【００２６】
また、ヘッド１０１ａ〜１０１ｄに対応してその下部に隣接して配置されたキャップ１０３ａ〜１０３ｄはそれぞれ内部にスポンジ等のインク吸収部材を有する。これらのキャップ１０３ａ〜１０３ｄは不図示のホルダにより固定支持されており、このホルダおよびキャップ１０３ａ〜１０３ｄによってキャップユニットが構成され、このキャップユニットはキャップ移動手段１２５により矢印Ｘ方向に移動させられるようになっている。
【００２７】
各ヘッド１０１ａ〜１０１ｄにはそれぞれ、インクタンク１０４ａ〜１０４ｄからインク供給チューブ１０５ａ〜１０５ｄを通じてシアン、マゼンタ、イエロー、ブラックの各色のインクが供給され、カラー記録を可能としている。このインク供給はヘッド吐出口の毛細管現象を利用して行われ、各インクタンク１０４ａ〜１０４ｄの液面は吐出口位置より一定距離だけ低く設定されている。
【００２８】
ベルト１０６は被プリント材（記録紙）１２７を搬送するためのものであって帯電可能なシームレスベルトからなる。ベルト１０６は駆動ローラ１０７、アイドルローラ１０９，１０９ａおよびテンションローラ１１０により所定の経路に引きまわされており、駆動ローラ１０７に接続され、モータードライバー１２１により駆動されるベルト駆動モーター１０８により、走行させられる。ベルト１０６はヘッド１０１ａ〜１０１ｄの吐出口の直下において矢印Ｘ方向に走行し、ここでは固定支持部材１２６により、下側のブレが抑制されている。
【００２９】
ベルト１０６の図示下方には、ベルト１０６の表面に付着している紙粉等を除去するクリーニングユニット１１７が配設されている。
【００３０】
ベルト１０６を帯電させる帯電器１１２は、帯電器ドライバー１２２により、ＯＮ、ＯＦＦされ、この帯電による静電的吸着力により、被プリント材１２７はベルト１０６に吸着される。
【００３１】
帯電器１１２の前後にはアイドルローラ１０９，１０９ａと共同して、搬送される被プリント材１２７をベルト１０６に押し付けるためのピンチローラ１１１，１１１ａが配置されている。
【００３２】
給紙カセット１１３内の被プリント材１２７は給紙ローラ１１６の回転により１枚ずつ送り出され、モータードライバー１２３により駆動される搬送ローラ１１４およびピンチローラ１１５により矢印Ｘ方向に山形ガイド１１３へと搬送される。山形ガイド１１３は被プリント材１２７のたわみを許容する山形のスペースを有する。
【００３３】
記録の終了した被プリント材１２７は排紙トレイ１１８に排出される。
【００３４】
ヘッドドライバー１２０、ヘッド移動手段１２４、キャップ移動手段１２５、モータードライバー１２１，１２３および帯電器ドライバー１２２はすべて制御回路１１９により制御される。
【００３５】
本実施形態の液体吐出記録装置による記録動作は、被プリント材１２７を搬送し、この際、各液体吐出ヘッドから、入力画像データに応じて選択的にインクを吐出させることによって実行される。各液体吐出ヘッドの駆動は、所定のタイミングで各ヒータ（エネルギー発生素子）に駆動パルス電圧を選択的に供給することによって実行される。これによって、各液体吐出ヘッドから吐出されたインクドロップレットが飛翔して被プリント材の所定の位置に付着し、それによって、被プリント材上に記録画素としてドットが形成され、形成された各ドットによって、入力画像データに対応した画像が形成される。
【００３６】
なお、図４では、液体吐出ヘッドは、記録に用いられる最大の被プリント材の幅に相当する長さを有するフルライン型の構成であり、液体吐出記録装置は、液体吐出ヘッドまたは被プリント材のいずれか一方のみを移動させて被プリント材全体への記録を行う構成を示しているが、液体吐出ヘッドを移動させる主走査と、被プリント材を移動させる副走査を行うシリアル型の液体吐出記録装置としてもよい。
【００３７】
液体吐出記録装置は、上述のような記録動作制御を実行する制御系を有している。図５は、このような制御系の構成の一例を示すブロック図である。
【００３８】
この制御系には、画像データ入力部４１、操作部４２、ＣＰＵ４３、ＲＡＭ４５、画像データ処理部４６が、装置内のアドレス信号、各種データ、制御信号などを伝送するバスライン４８を介して互いに接続されて設けられている。また、バスライン４８には、上記の液体吐出ヘッド、ベルト駆動モーターなどの各動作機構やリニアエンコーダなどの検出機構が接続されており、図５では、これらを代表して画像記録部４７として記載している。
【００３９】
ＣＰＵ４３は、制御プログラム４４ｄに基づいて所定の各種情報処理を実行し、液体吐出記録装置全体を統括制御するものである。制御プログラム４４ｄは、上述したような各部の動作制御のためのプログラムや、エラー処理プログラムなどを含み、ＲＯＭ、ＦＤ、ＣＤ−ＲＯＭ、ＨＤ、メモリカード、光磁気ディスクなどの記憶媒体４４に格納されて供給される。ＣＰＵ４３は、この記憶媒体４４からバスライン４８を介して制御プログラム４４を読み出して動作し、また、場合によっては、制御プログラム４４ｄは読取装置によって読み込まれて一旦他の一時記憶部であるワーク用ＲＡＭ４５などに記憶され、そこからＣＰＵ４３に供給される。また、記憶媒体４４には、主として被プリント材の種類に関する情報である被プリント材情報４４ａ、記録に用いるインクに関する情報であるインク情報４４ｂ、記録動作時の温度、湿度などの環境に関する情報である環境情報４４ｄなどを適宜格納し、これらの情報を良好な記録制御のために利用してもよい。
【００４０】
ワーク用ＲＡＭ４５は、主として、各種プログラムのワークエリア、エラー処理時の一時待避エリア、および画像処理時のワークエリアなどとして用いられる。また、ワーク用ＲＡＭ４５は、記憶媒体４４中の各種テーブルなどをコピーし、そのテーブルの内容を適宜変更して画像処理などに利用するといった用い方をしてもよい。
【００４１】
画像データ入力部４１は、スキャナやデジタルカメラ等の画像入力機器からの画像データや、パーソナルコンピュータのハードディスク等に保存されている画像データを液体吐出記録装置に入力する働きをする。操作部４２は、操作者が各種パラメータの設定や記録動作開始の指令などの入力処理をするための各種キーを備えている。
【００４２】
画像データ処理部４６は、画像データ入力部４１から入力された画像データを、最終的に、各色のインクのドットを各ドット位置に形成するか否かを示す２値の情報からなる、吐出パターンとして用いることができるデータに変換する働きをする。このような変換は、従来から一般に用いられている手法を用いて実施することができる。
【００４３】
例えば、画像データ入力部４１からは、多値画像データが入力される。画像データ処理部４６は、この多値画像データを各液体吐出ヘッド２１から吐出する各インクの色に対応するように色分解し、各色毎、各画素毎のＮ値の画像データに量子化し、その量子化された各画素における階調値"Ｋ"に対応する吐出パターンを作成する。例えば、８ｂｉｔ（２５６階調）で表現される多値画像データが画像データ入力部４１に入力されると、画像データ処理部４６において、出力する画像データの階調値が２５（＝２４＋１）値に変換される。このような、入力階調画像データのＫ値化処理には多値誤差拡散法を用いることができるが、これに限られることはなく、平均光学濃度保存法、ディザマトリックス法等、任意の中間調処理方法を用いることができる。そして、画像の濃度情報に基づいて、Ｋ値化処理を全ての画素数分繰り返すことにより、各ドット位置毎の、各色のドットを形成するか、しないかの２値の情報からなるデータが生成される。
【００４４】
次に、本実施形態の液体吐出記録装置による記録動作の詳細について説明するに当たり、まず、本実施形態に対比される比較例の液体吐出記録装置による記録動作について説明する。
【００４５】
〔第１の比較例〕
図６は、本実施形態の第１の比較例として、全ての吐出口６２が一列に並べられた長尺の液体吐出ヘッド６１による記録動作を説明する図である。同図において、矢印Ｃは、記録動作時の液体吐出ヘッド６１の、被プリント材に対する移動方向を示しており、あるいは、矢印Ｄで示すように被プリント材側を液体吐出ヘッド６１に対して移動させてもよい。このように液体吐出ヘッド６１と被プリント材とを相対移動させながら、所定の周波数で各吐出口６２から選択的にインクを吐出させることによって、模式的に示す記録マトリックス６５の各ドット位置にインクを選択的に付着させてドットパターンを形成する。
【００４６】
すなわち、番号１の吐出口６２からインクを吐出することによって、記録マトリックス６５の記録ライン番号１の各ドット位置、番号２の吐出口６２からインクを吐出することによって、記録マトリックス６５の記録ライン番号２の各画素位置にドットを形成する。この時、液体吐出ヘッド６１として、例えば１２８０個の吐出口６２を１２００ｄｐｉのピッチ（約２１．２μｍ間隔）で配列したものを用いると、記録マトリックス６５の各ドット位置の間隔は約２１．２μｍになるが、インクドロップレットによって形成されるドットの大きさがこの間隔よりも大きい場合には、互いに隣接するドット同士は重なることになる。また、インクドロップレットによって形成されるドットの大きさがさらに大きければ、ドット位置（１，ａ）と（２，ｂ）のように、互いに斜めに隣接するドット同士でも重なりが生じる。また、インクドロップレットが、理想的な位置（記録マトリックス６５の各ドット位置の中心）に着弾しない場合にもまた、隣接するドット同士が重なることが考えられる。
【００４７】
このようにドットが重なる場合、従来のシリアルタイプの記録装置において、インターレース記録やマルチパス記録を行う場合には、隣接するドットが一部重なった形状は、図７（ａ）に示すように、単独で形成された場合と同じ形状になる。これに対して、比較例の液体吐出ヘッド６１を用い、１パスで記録を行った場合、隣接するドットが協働して、図７（ｃ）に示すように楕円形のドットを形成したり、斜めに隣接するドット同士でも、図７（ｂ）に示すように、重なり部でドットの形状が変化してひょうたん状のドットが形成されたり、理想的なドット形状からずれる場合がある。
【００４８】
これは、インターレース記録やマルチパス記録時には、互いに隣接するドット位置にインクドロップレットが着弾する時間にある程度の差があるのに対して、本比較例では、ドット位置（１，ａ）と（２，ａ）間などでは、着弾時間がほぼ同時であり、ドット位置（１，ａ）と（１，ｂ）間、あるいはドット位置（１，ａ）と（２，ｂ）間などでは、ヒータの駆動周期分、例えば、駆動周波数を１０ｋＨｚとすれば、０．１ｍｓｅｃしか着弾時間に差がないことに起因するものと推察される。すなわち、インクドロップレットが着弾した後、それが被プリント材に吸収される前に、互いに隣接するドット位置にインクドロップレットが着弾することによって、被プリント材上でインクドロップレット同士が合体し、そのために望ましいドット形状が損なわれてしまうものと解釈される。言い換えれば、インクドロップレットの被プリント材への吸収速度が、記録速度に追いつけなくなっている。したがって、このような傾向は、ヒータの駆動周波数を高くして、記録速度を速くすればするほど顕著になると考えられる。
【００４９】
このように、本発明者らは、上述したような、インクの、被プリント材への吸収時間を考慮し、互いに隣接するドット位置にドットを形成する場合、できるだけ、インクが被プリント材に吸収される時間以上の差を置いてドットを形成するようにすることが、高速記録において高い画像品位を得る上で有効であるということを見出した。
【００５０】
ここで、インクの被プリント材への吸収挙動を測定し、吸収時間を求める点について詳説する。
【００５１】
当業者には比較的に一般的な測定方法として、Ｊ−ＴＡＰＰＩに規定される「ブリスト法」が挙げられる。この方法によると、インクが被プリント材表面に接触してから極短時間内の被プリント材内へのインクの浸透速度を吸収速度係数として求めることができ、すなわち単位容量あたりのインクが被プリント材の単位面積の領域で被プリント材内へ吸収される時間を求めることができる。この方法によって、ＢＪＦ８５０（キヤノン株式会社製）で用いられているインク（ＢＣＩ５Ｃ：キヤノン株式会社製）が、プロフォトペーパー（ＰＲ１０１：キヤノン株式会社製）、インクジェット電子写真両用普通紙（ＰＢＰＡＰＥＲ：キヤノン株式会社製）、インクジェット用高品位専用紙（ＨＲ１０１：キヤノン株式会社製）へ吸収される時間を測定すると、表１に示す結果が得られる。
【００５２】
【表１】
2005306014.tif 000003
【００５３】
この際、プロフォトペーパーＰＲ１０１は、インクの吸収層が空隙型であり、このため、インク吸収層にインクドロップレットが吸収されるまでの時間が比較的長くなっている。そして、このプロフォトペーパーに上記のインクによってドットを形成する場合、互いに隣接する位置へのインクドロップレットの着弾時間差を、付着させるインクドロップレットの量を１０ｍｌ／平方メートルとすれば８ｍｓｅｃ、２０ｍｌ／平方メートルとすれば２８ｍｓｅｃ以上にすれば、上記のような形成ドットの変形を低減できる。
【００５４】
〔第２の比較例〕
次に、第２の比較例の液体吐出ヘッド７０を図８に示す。
【００５５】
この液体吐出ヘッド７０は、本実施形態と同様に複数のヘッドチップ７５ａ，７５ｂ，…を並べて構成したマルチヘッドである。図では、分かりやすくするために、３つのヘッドチップのみを示しているが、液体吐出ヘッド７０は、より多数のヘッドチップ７５を並べて構成したものであってもよい。
【００５６】
図８において、吐出口列に対して垂直な方向が、液体吐出ヘッド７０の主走査方向、あるいはフルライン型の液体吐出ヘッド７０を用いる場合の液体吐出ヘッド７０と被プリント材の相対移動方向（以下「主走査方向」）である。ヘッドチップは、主走査方向に交互にずれて主走査方向に直交する方向に並べて配置されている。
【００５７】
液体吐出ヘッド７０全体では、吐出口列の列方向（主走査方向に直交する方向）に平行に等間隔に、吐出口ライン７１，７２，７３，７４があり、この吐出口ライン上に各ヘッドチップの吐出口列が位置するよう、配置されている。
【００５８】
図８の下部には、液体吐出ヘッド７０によって、被プリント材の主走査方向に直交する方向に並んだドットを形成する際の、時系列の形成ドットのパターンを示している。
【００５９】
まず、時間ａで吐出口ライン７１上の吐出口７６から吐出された液滴（インクドロップレット）によってドットが形成される。この際、各吐出口列の吐出口７６のピッチは、形成ドットのピッチの２倍であるため、被プリント材上に形成される各ドットは、ほぼ独立し、ほとんど重なることはない。同様に、時間ｂで吐出口ライン７２、時間ｃで吐出口ライン７３、時間ｄで吐出口ライン７４に位置する吐出口７６から吐出されたインクドロップレットによってドットが形成される。図８においては、分かりやすくするために、各時間に形成されるドット３３に斜線を付し、それより前の時間に形成されたドット３４を白丸で示している。
【００６０】
この際、時間ａ-ｂ，b-ｃ，ｃ-ｄの時間の間隔ｔは、吐出口ラインの間隔（吐出口列の間隔）をＬ、記録速度、すなわち主走査時の液体吐出ヘッド７０と被プリント材との相対速度をＦとすれば、
ｔ＝Ｌ／Ｆ  …  （１）
となる。
【００６１】
例えば、各ノズル内のヒータの駆動周波数を１０ｋＨｚとし、主走査方向の記録密度（記録マトリックス解像度）を各吐出口７２の密度と同一として１２００ｄｐｉ（したがって、記録マトリックスの各ドットの領域は約２０μｍ四方）とすると、記録速度Ｆは０．２ｍｍ／ｍｓｅｃとなる。そして、１０ｍｌ／平方メートルのインクドロップレットを被プリント材としてのプロフォトペーパー（ＰＲ１０１）に着弾させてドットを形成する場合、インクドロップレットの吸収時間Ｔは、表１から８ｍｓｅｃであるので、時間ａ，ｂ，ｃ，ｄの間隔ｔをこの吸収時間とすることができる、吐出口ラインの間隔Ｌｐｒは、（１）式より、１．６ｍｍ（約８０ドット分に相当）となる。また、２０ｍｌ／平方メートルのインクドロップレットを被プリント材としてのプロフォトペーパー（ＰＲ１０１）に着弾させてドットを形成する場合、インクドロップレットの吸収時間Ｔは２８ｍｓｅｃであるので、時間ａ，ｂ，ｃ，ｄの間隔ｔをこの吸収時間とすることができる、吐出口ラインの間隔Ｌｐｒは、５．６ｍｍ（約２６５ドット分に相当）となる。
【００６２】
本比較例の液体吐出ヘッド７０では、吐出口ライン７１，７２，７３，７４の間隔を、記録動作時に、隣接するドットでインクドロップレットが被プリント材に吸収された後にドットを形成できる距離Ｌｐｒに近くなるように設定している。すなわち、各ヘッドチップの２列の吐出口列の間隔ＥをＬｐｒに近い値にする。さらに、主走査方向にずれたヘッドチップ（例えば７５ａと７５ｂ）の、両者の吐出口列の互いに隣接するもの同士の間隔Ｆが、間隔Ｅと同じになるように配置している。このようにすることによって、主走査方向に直交する方向に互いに隣接して一部重なって形成されるドット間で、楕円形やひょうたん形のドットが形成されるのを抑えることができる。
【００６３】
上記のＬｐｒ値の意味するところは、繰り返し説明するが、単位面積中に一定量のインクを引き伸ばすように接触させた際に、被プリント材内にインクが吸収される時間を基に、このインクが吸収される時間経過後に、隣接する吐出口７２からのインクが被プリント材上に着弾するようにするために必要な吐出口ライン７１，７２，７３，７４間の間隔である。そのため、記録動作にあたって、各吐出口７２から吐出するインク量によって、このＬｐｒ値も異なってくる。通常、全色分の総吐出インク量を、Ｌｐｒを算出するのに用いることが好ましいが、各色間の距離が十分離れる場合などは、各色単位での吐出インク量を、Ｌｐｒを算出するのに用いてもよい。
【００６４】
また、このＬｐｒを算出するために用いる吸収時間Ｋは、上記では「ブリスト法」により求める例を示したが、吸収速度を規定する他の測定手法を用いたり、目視により吸収したかどうかを判断して求めたりしてもよい。また、互いに隣接するドット位置に着弾時間差を変化させてドットを形成し、これによって形成されるドットの形状を観察して、吸収時間を推定してもよい。すなわち、インクドロップレットが被プリント材に吸収される前に、隣接するドット位置にインクドロップレットが着弾し、インクドロップレットの合体が生じた場合、ドット形状は、前述のように、例えば、図７（ｂ）に示すように、ひょうたん形になったり、図７（ｃ）に示すようい楕円形になったりすることがある。このことから、インクドロップレットが被プリント材に吸収される時間を推定することができる。
【００６５】
図８の比較例の構成によれば、主走査方向に直交する方向に互いに隣接したドット位置に着弾したインクドロップレット同士が、被プリント材に吸収される前に合体してドット形状が乱れるのを抑え、画像品位の向上を図ることができる。
【００６６】
しかし、比較例８によって形成された画質を詳細に観察すると、主走査方向に直交する方向で、部分的に光学濃度むらが生じ、スジ状に高光学濃度の部分が生じることが分かった。これについて、本発明者らが検討したところ、ドットが重なる部分の光学濃度は、重なるドット間でのインクドロップレットの着弾時間差によって変化することを見出した。このことについて以下に説明する。
【００６７】
図９は、互いに隣接して重なる部分を有するドットを形成した場合の光学濃度分布を示している。同図から分かるように、光学濃度は、重複した部分で最も高く、周辺にいくにしたがって徐々に低くなっている。
【００６８】
この最大光学濃度（Max O.D）の着弾時間差による変化を測定したところ、約５０ｍｓの着弾時間差までは、着弾時間差の変化と共に急峻に最大光学濃度が変化し、それ以上の着弾時間差をおいた場合、最大光学濃度はある一定の値に落ち着く事がわかる。なお、この結果は、ＢＪＦ８５０（キヤノン株式会社製）にインクとしてＢＣＩ５Ｃ（キヤノン株式会社製）を用いて、プロフォトペーパー（ＰＲ１０１：キヤノン株式会社製）に、着弾時間差を変化させて記録を行い、充分時間を置いた後、光学濃度を測定して得たものである。
【００６９】
そこで、比較例の図８の液体吐出ヘッド７０によるドットの形成パターンを見ると、互いに隣接するドットは、ほとんどのものについて、例えば、時間ａで形成されたドットに隣接するドットは時間ｂで形成され、時間ｂで形成されたドットに隣接するドットは時間ｃで形成される。すなわち、間隔Ｅと間隔Ｆが同じになるように配置されている為、着弾時間差が時間ａ−ｂ間とｂ−ｃ間と、ｃ−ｄ間で等しくなっている。しかし、図８において、αで示す部分についてのみ着弾時間差が異なっていることが分かる。すなわち、αで示す部分は、時間ａにおいて形成されるるドットと、時間ｄにおいて形成されるドットとが重なる部分である。このように、αで示す部分は、他の隣接ドット間の着弾時間差に対して、長い着弾時間差があることが分かる。このため、高光学濃度の記録を行うと、ドットαの部分が、他の部分と光学濃度が異なり、スジ状に見えてしまうものと考えられる。
【００７０】
〔実施形態１〕
上述の比較例の構成においては、被プリント材上で主走査方向に直交する方向（吐出口列方向）において隣接して重なって形成されるドットの着弾時間差が、部分的に異なる為、形成された画像にスジが生じることがわかった。
【００７１】
そこで、以下の実施形態においては、吐出口の配列方向に隣接して一部重なって形成されるドット同士の着弾の時間差が一定になるようなヘッドを説明する。
【００７２】
本実施形態の液体吐出ヘッド２１を、図１に示す。
【００７３】
液体を吐出する吐出口１６が一定の間隔で配列する吐出口列５が2列設けられた吐出口列群６ａ、６ｂ、６ｃをそれぞれ有するヘッドチップ１０ａ，１０ｂ，１０ｃ、…が、主走査方向（吐出口列に直交する方向）に交互にずれて主走査方向に直交する方向に並べて千鳥状に配置されている。
【００７４】
液体吐出ヘッド２１全体では、主走査方向に垂直な方向と平行に吐出口ライン１，２，３，４があり、この吐出口ライン上に各ヘッドチップの吐出口列が位置するよう、配置されている。吐出口列群内で隣接する吐出口列の間隔（吐出口ライン１と２、３と４の間隔）は、Ａと示し、隣接する吐出口列群間で隣接する吐出口列の間隔（吐出口ライン２と３の間隔）は、Ｂと示す。本実施例においては間隔Ａと間隔Ｂは等しい。
【００７５】
この間隔Ａ，Ｂは、記録動作時に、主走査方向に直交する方向（吐出口列方向）に互いに隣接するドット位置で前に着弾したインクドロップレットが被プリント材に吸収された後に後のインクドロップレットが着弾する距離Ｌｐｒに近くなるように設定するのが好ましい。それによって、主走査方向に直交する方向に互いに隣接するドット間で、インクドロップレットが被プリント材上で合体し、ドット形状が乱れるのを低減し、形成画像の品位を高くすることができる。この構成は、前述のＰＲ１０１のように、インクの吸収層が空隙型である被プリント材では、普通紙や、高品位専用紙よりもインク吸収時間が長くなりがちであるため、このような被プリント材を用いる場合に特に有効である。
【００７６】
本実施形態において、記録に関与する吐出口を図１に黒丸で示す。ヘッドチップ内において白丸で示した吐出口は、記録に関与しないノズルである。本実施形態において、記録に関与する吐出口が、上述の構成をとればよく、他の部分に記録に関与しないダミーノズルであっても構わない。もちろん、もともと吐出に関わらない吐出口は形成しなくても良い。
【００７７】
以下、記録に関与する吐出口の配置について説明を行う。各ヘッドチップ内の吐出口列群内において、隣接する吐出口列に属する吐出口は、吐出口列方向に関して、間隔Cを置いて配置されている。また、隣接する吐出口列群間（６aと６b、６bと６c）でそれぞれ隣接する吐出口列においても、各列に属する吐出口は、吐出口が配列する方向に関して間隔Cを置いて配置されている。つまり、液体吐出ヘッド２１の、印刷に寄与する吐出口は、吐出口が配列する方向に全て間隔Cで配置されており、吐出口列と垂直な方向に関して、重ならない（同じ位置にない）ように配置されている。さらに、吐出口列群において吐出口列の各端部にある吐出口同士を結んだ線と、隣接する吐出口列群における前記線（ｊとｋ、ｍとｎ）と、は同一線上にある。
【００７８】
図１の下部には、図８と同様に、本実施形態の液体吐出ヘッド２１を用いて、被プリント材の主走査方向に直交する方向に並んだドットを形成する際の、時系列の形成ドットのパターンを示している。
【００７９】
図８と同様に、時間ａで吐出口ライン１上の吐出口から吐出された液滴によってドットが形成される。時間ｂで吐出口ライン２、時間ｃで吐出口ライン３、時間ｄで吐出口ライン４に位置する吐出口からの液滴によってドットが形成される。各時間に形成されるドット３１に斜線を付し、それより前の時間に形成されたドット３２を白丸で示している。
【００８０】
このように、上述のヘッドを用いて、被プリント材とヘッドとの相対速度が一定のもと、主走査方向に直交する方向に並んでドットを形成する際、本実施形態によれば、図１からも分かるように、互いに隣接するドットの形成は、いずれの場合にも、時間の間隔ａ−ｂ，ｂ−ｃ，ｃ−ｄに相当する同じ着弾時間差を置いて実行される。このため、互いに隣接するドットにおける着弾時間差の相違による形成画像の光学濃度むらを低減することができる。
【００８１】
以上説明したように、本実施形態では、液体吐出ヘッド２１を複数のヘッドチップ１０から形成している。したがって、比較的短いヘッドチップ１０を用いて、比較的長尺の液体吐出ヘッド２１を形成することができ、この際、比較的短いヘッドチップ１０は、長尺の、特に、被プリント材２４の幅に相当する長さを有するフルライン型のヘッドを１つの基体上に形成しようとした場合におけるように、製造や管理に困難を生じることはなく、低コスト・高歩留まりで、高性能、高信頼性のものを製造し、使用することができ、したがって、液体吐出ヘッド２１全体として見ても、長尺な構成としても高性能で信頼性の高いものとすることができる。
【００８２】
〔実施形態２〕
本実施形態の液体吐出ヘッドを図１０に示す。実施形態１と同様の部分は説明を省略する。
【００８３】
実施形態１と同様、液体吐出ヘッド８０の、印刷に寄与する吐出口８２は、吐出口が配列する方向に間隔Ｃで配置されており、吐出口列と垂直な方向に関して、重複しないように配置されている。図１０の液体吐出ヘッド８０では、各ヘッドチップ８１の吐出口列の間隔Ｇと、主走査方向において隣接するヘッドチップの、隣接する吐出口列の間隔Ｈとが異なる間隔になっている。ヘッドチップにおいて吐出口列の各端部にある吐出口同士を結んだ線と、隣接する吐出口列群における前記線と、（ｊ’とｋ’、ｍ’とｎ’）は平行である。
【００８４】
図１０に示すようなヘッドを用いた場合、吐出口の配列方向に隣接して一部重なって形成されるドット同士の着弾の時間差を一定にする為には、ヘッドと被プリント材の相対的な速度を間隔Ｇ、Ｈに応じて調整すれば良い。この結果、着弾時間記録画像における光学濃度むらを低減して、高品位の画像記録が可能となる。
【００８５】
また、上述の各実施形態においては、吐出口列群を有する小型のヘッドチップを千鳥配置することで、全体として長尺ヘッドとしたが、もともと長尺形状の基体に吐出口を形成した長尺チップを用いても構わない。
【００８６】
〔液体吐出方式〕
上述の実施形態においては、液体吐出記録方式（インクジェット記録方式）の中でも、エネルギー発生素子として、ヒータを用い、熱エネルギーを利用して飛翔液滴を形成し、記録を行う液体吐出方式の液体吐出ヘッド２１を用いた構成を示した。
【００８７】
この代表的な構成や原理については、例えば、特許文献１、特許文献２に開示されている基本的な原理を用いて行うものが好ましい。この方式は所謂オンデマンド型、コンティニュアス型のいずれにも適用可能であるが、特に、オンデマンド型の場合には、液体（インク）が保持されているシートや液路に対応して配置されている電気熱変換体に、記録情報に対応していて核沸騰を越える急速な温度上昇を与える少なくとも一つの駆動信号を印加することによって、電気熱変換体に熱エネルギを発生せしめ、記録ヘッドの熱作用面に膜沸騰を生じさせて、結果的にこの駆動信号に一体一で対応した液体（インク）内の気泡を形成出来るので有効である。この気泡の成長、収縮により吐出用開口を介して液体（インク）を吐出させて、少なくとも一つの滴を形成する。この駆動信号をパルス形状とすると、即時適切に気泡の成長収縮が行われるので、特に応答性に優れた液体（インク）の吐出が達成でき、より好ましい。このパルス形状の駆動信号としては、特許文献３、特許文献４に記載されているようなものが適している。なお、上記熱作用面の温度上昇率に関する発明の特許文献５に記載されている条件を採用すると、更に優れた記録を行うことが出来る。
【００８８】
液体吐出ヘッドの構成としては、上述の各明細書に開示されているような吐出口、液路、電気熱変換体の組合わせ構成（直線状液流路又は直角液流路）の他に熱作用部が屈曲する領域に配置されている構成を開示する特許文献６、特許文献７を用いた構成も用いることができる。
【００８９】
加えて、複数の電気熱変換体に対して、共通するスリットを電気熱変換体の吐出部とする構成を開示する特許文献８や熱エネルギの圧力波を吸収する開孔を吐出部に対応させる構成を開示する特許文献９に基いた構成としてもよい。すなわち、液体吐出ヘッドの形態がどのようなものであっても、記録を確実に効率よく行うことができる。
【００９０】
液体吐出ヘッドとしては、装置本体に固定された液体吐出ヘッドでも、装置本体に装着されることで装置本体との電気的な接続や装置本体からのインクの供給が可能になる交換自在の液体吐出ヘッドでも用いることができる。また、液体吐出ヘッドに一体的にインクタンクを設けたカートリッジタイプの液体吐出ヘッドを用いてもよい。
【００９１】
このようなエネルギー発生素子として発熱素子（ヒータ）を使用したバブルジェット（ＢＪ）方式の液体吐出ヘッドは、多数のノズル群を比較的簡易にかつ低コストで実現でき、好ましいものであるが、本発明の液体吐出記録装置に用いることができる液体吐出ヘッドは、これに限られることはない。例えば、インク滴を連続噴射し粒子化するコンティニュアス型の場合には荷電制御型、発散制御型等、また、必要に応じてインク滴を吐出するオンデマンド型の場合には、ピエゾ振動素子の機械的振動によりオリフィスからインク滴を吐出する圧力制御方式等でも適用可能である。
【００９２】
また、本発明の液体吐出記録装置の構成として、上述のような、液体吐出ヘッドの回復手段、さらに他の予備的な補助手段等を付加することは本発明の効果を一層安定したものとすることができるので、好ましいものである。これらを具体的に挙げれば、記録ヘッドに対してのキャッピング手段、クリーニング手段、加圧或は吸引手段、電気熱変換体或はこれとは別の加熱素子或はこれらの組み合わせを用いて加熱を行う予備加熱手段、記録とは別の吐出を行う予備吐出手段を挙げることができる。
【図面の簡単な説明】
【００９３】
【図１】本発明の実施形態１の液体吐出ヘッドの、吐出口面側から見た模式図、およびこれを用いて形成されるドットパターンの模式図。
【図２】図１の液体吐出ヘッドを構成するヘッドチップの部分破断斜視図。
【図３】図２のヘッドチップのノズル構造を模式的に示す平面図。
【図４】図１の液体吐出ヘッドを備える液体吐出記録装置の模式図。
【図５】図４の液体吐出記録装置の制御系を模式的に示すブロック図。
【図６】第１の比較例の液体吐出ヘッドの、吐出口面側から見た模式図、およびこれを用いて形成されるドット位置を説明するための記録マトリックスを示す図。
【図７】互いに隣接するドット位置にドットを形成した時のドット形状を示す図。
【図８】第２の比較例の液体吐出ヘッドの、吐出口面側から見た模式図、およびこれを用いて形成されるドットパターンの模式図。
【図９】ドットが重なって形成された部分の光学濃度分布を示す図。
【図１０】本発明の実施形態２の液体吐出装置に用いられる液体吐出ヘッドの模式図。
【符号の説明】
【００９４】
５    吐出口列
６ａ，６ｂ，６ｃ    吐出口列群
１６，７６    吐出口
10ａ，10ｂ，10ｃ  75ａ，75ｂ，75ｃ    ヘッドチップ
２１，７０    液体吐出ヘッド
３１，３３    各時間に被プリント材に形成されるドット
３２，３４    前の時間に被プリント材に形成されたドット
【図１】
2005306014.tif 000004
【図２】
2005306014.tif 000005
【図３】
2005306014.tif 000006
【図４】
2005306014.tif 000007
【図５】
2005306014.tif 000008
【図６】
2005306014.tif 000009
【図７】
2005306014.tif 000010
【図８】
2005306014.tif 000011
【図９】
2005306014.tif 000012
【図１０】
2005306014.tif 000013